(57)【要約】      （修正有）【課題】リムレス眼鏡のフロント部に個性的な特徴を付与することができ、また部材の取付けも簡単で、しかも、色彩の変更も容易に行えるリムレス眼鏡のレンズ装飾構造を提供する。【解決手段】ブリッジＢ及びエンドピースＥに固定するための止着孔を両側に備え、かつ、全周的に外周溝が設けられた左右レンズ１と；弾性を有する有色のモノフィラメント糸２と；このモノフィラメント糸２の両端部が挿通されて、その先端部に設けられた抜止め部を係止可能な小孔を備える連結パーツ３とを含んで構成する。さらに、前記連結パーツ３により両端部が連結されてリング状となったモノフィラメント糸２を前記レンズ１の外周溝に装着してレンズ周囲に色付きの縁取りを形成可能とする。【選択図】図５
0003157458.tif 000002
【実用新案登録請求の範囲】
【請求項１】
ブリッジＢ及びエンドピースＥに固定するための止着孔11・11を両側に備え、かつ、全周的に外周溝12が設けられた左右一対のレンズ１・１と；弾性を有する有色のモノフィラメント糸２と；このモノフィラメント糸２の両端部が挿通されて、その先端部に設けられた抜止め部21・21を係止可能な小孔31・31を有する連結パーツ３とを含んで構成され、
前記連結パーツ３により両端部が連結されてリング状となったモノフィラメント糸２を前記レンズ１の外周溝12に装着してレンズ周囲に色付きの縁取りを形成可能としたことを特徴とするリムレス眼鏡のレンズ装飾構造。
【請求項２】
モノフィラメント糸２に熱可塑性樹脂を使用して、連結パーツ３の小孔31・31に挿通した両端部を加熱溶融により瘤化変形せしめて抜止め部21・21が形成されていることを特徴とする請求項１記載のリムレス眼鏡のレンズ装飾構造。
【考案の詳細な説明】
【技術分野】
【０００１】
本考案は、リムレス眼鏡のレンズ装飾構造の改良、更に詳しくは、リムレス眼鏡のフロント部に個性的な特徴を付与することができ、また部材の取付けも簡単で、しかも、色彩の変更も容易に行えるリムレス眼鏡のレンズ装飾構造に関するものである。
【背景技術】
【０００２】
周知のとおり、眼鏡はファッションアイテムとしての側面を有することから個性のあるデザインが好まれる傾向にあるが、リムレス(ツーポイント)眼鏡はレンズを囲うリムがないため、どうしてもフルリム型やハーフリム型の眼鏡に比べてフロント部分の印象が薄くなり易かった。
【０００３】
そこで、従来、リムレス眼鏡のレンズに外周溝を設け、この溝内にカラー塗料溶液を流し込んで乾燥させたり、塗料をペンで塗ったりしてレンズ周囲を着色することにより、レンズの印象を高める装飾が行われていた。
【０００４】
また、従来においては、リムレス眼鏡のレンズに設けた外周溝に沿って有色のナイロン糸を巻き付けることにより、レンズの周囲に色を出す装飾方法も提案されていた(特許文献１参照)。
【０００５】
しかしながら、上記従来の直接塗料で着色する方法は勿論、ナイロン糸を使用する場合にも糸材をレンズに接着して固定していたため、レンズに固定したナイロン糸を取り外すことは容易でなく、使用者が他の色に変えたいときに、レンズそのものを交換しなければならない等、気軽に変更を行うことができなかった。
【０００６】
一方、店舗側にとっても、レンズの溝内にカラー塗料溶液を色ムラなく均一に塗布して仕上げることは容易でなく、またナイロン糸をレンズに取り付ける場合にも、接着剤で固定する方法だとやり直しがきかないため、糸の長さを正確に調整するなど慎重な作業が要求されて不要なストレスを感じ易かった。
【先行技術文献】
【特許文献】
【０００７】
【特許文献１】特開平１０−２９３２７７号公報（第２−８頁、第１−３図）
【考案の概要】
【考案が解決しようとする課題】
【０００８】
本考案は、上記の如き問題に鑑みて為されたものであり、その目的とするところは、リムレス眼鏡のフロント部に個性的な特徴を付与することができ、また店舗側が部材の取付け作業をストレスなく行うことができ、しかも、使用者の要望に応じて色彩の変更も容易に行えるリムレス眼鏡のレンズ装飾構造を提供することにある。
【課題を解決するための手段】
【０００９】
本考案者が上記課題を解決するために採用した手段を添付図面を参照して説明すれば次のとおりである。
【００１０】
即ち、本考案は、ブリッジＢ及びエンドピースＥに固定するための止着孔11・11を両側に備え、かつ、全周的に外周溝12が設けられた左右レンズ１・１と；弾性を有する有色のモノフィラメント糸２と；このモノフィラメント糸２の両端部が挿通されて、その先端部に設けられた抜止め部21・21を係止可能な小孔31・31を備える連結パーツ３とを含んで構成し、
前記連結パーツ３により両端部が連結されてリング状となったモノフィラメント糸２を前記レンズ１の外周溝12に装着してレンズ周囲に色付きの縁取りを形成可能とした点に特徴がある。
【００１１】
また、本考案においては、上記課題を解決するために、必要に応じて上記手段に加え、モノフィラメント糸２に熱可塑性樹脂を使用して、連結パーツ３の小孔31・31に挿通した両端部を加熱溶融により瘤化変形せしめて抜止め部21・21を容易に形成できるようにするという技術的手段を採用するとこともできる。
【考案の効果】
【００１２】
本考案では、有色のモノフィラメント糸を連結パーツによりリング状とし、このリング状のモノフィラメント糸をレンズに設けた外周溝に装着可能としたことにより、取り付けたモノフィラメント糸によりレンズ周囲に色付きの縁取りを形成することができるため、リムレス眼鏡のフロント部を個性的なデザインに仕上げることができる。
【００１３】
また、上記モノフィラメント糸は、連結パーツの小孔に両端部を挿通して先端を抜止めするだけで簡単にリング状とすることができ、しかも、リング状としたモノフィラメント糸は、糸材の弾性を利用して伸縮させることにより簡単にレンズの外周溝に装着することができるため、モノフィラメント糸の取付け作業も非常に容易となる。
【００１４】
そして更に、上記モノフィラメント糸をレンズに取り付ける際には、糸の長さがレンズの外周に合わなかった場合でも、モノフィラメント糸を切り直すなど何度でも長さの調整を行うことができるため、店舗側はストレスなく取付け作業を行うことができる。
【００１５】
また、上記モノフィラメント糸はレンズからの取り外しも可能であるため、レンズに一旦装着した後でも、異なる色のモノフィラメント糸に交換することができ、しかも安価に交換できることから使用者が気軽に色の変更を行うことも可能となる。
【００１６】
したがって、本考案により、装飾効果に優れるだけでなく、部材の着脱が容易で使用者側及び店舗側の双方にとって都合が良いリムレス眼鏡のレンズ装飾構造を提供できることから、本考案の実用的利用価値は頗る高い。
【図面の簡単な説明】
【００１７】
【図１】本考案の実施例１における装飾レンズを表わす全体斜視図である。
【図２】本考案の実施例１における装飾レンズの構造を表わす部分断面図である。
【図３】本考案の実施例１における連結パーツを表わす全体斜視図である。
【図４】本考案の実施例１における連結パーツへの取着方法を表わす全体側面図である。
【図５】本考案の実施例１における装飾レンズを取り付けたリムレス眼鏡を表わす全体前面図である。
【図６】本考案の実施例１の変形例における装飾レンズを取り付けたリムレス眼鏡を表わす全体前面図である。
【考案を実施するための形態】
【００１８】
『実施例１』
本考案の実施例１は、図１から図６に示される。同図において、符号１で指示するものは、レンズであり、符号２で指示するものは、モノフィラメント糸である。また、符号３で指示するものは、連結パーツである。
【００１９】
次に、実施例１の構成を以下から説明する。まず実施例１では、ブリッジ及びエンドピースに連結するための止着孔11・11を両側に備えたレンズ１に全周的に外周溝12を設け、この外周溝12内に沿って有色(本実施例では、「紫色」)のモノフィラメント糸２を巻着している(図１、図２参照)。
【００２０】
また、上記モノフィラメント糸２には弾性を有するナイロン糸を使用すると共に、このモノフィラメント糸２の両端部を、図３に示すような金属小片から成る連結パーツ３の一対の小孔31・31に係止してリング状としている。
【００２１】
そして、上記リング状のモノフィラメント糸２の一部を外周溝12に引っ掛けた状態から糸材を引き伸ばしながら残りの部分も外周溝12内に押し込むことでレンズ１にモノフィラメント糸２を装着している。
【００２２】
また実施例１では、上記モノフィラメント糸２に熱可塑性樹脂であるポリアミド径モノフィラメント(ナイロン糸)を使用しているため、糸材を連結パーツ３の小孔31・31に挿通して図４(a)に示すような状態とした後、モノフィラメント糸２の両端部をライター等で加熱溶融させて先端部を瘤化させれば、図４(b)に示すような抜止め部21・21を簡単に形成することができる。
【００２３】
ちなみに、モノフィラメント糸２をレンズ１に取り付ける際には、糸の長さがレンズ１の外周に合わないケースも想定されるが、そのような場合にはモノフィラメント糸２を再度切り直したり、抜止め部21の位置を変えたりするなどして糸材の長さを調整することができる。
【００２４】
そして、上記のようにしてモノフィラメント糸２を装着した左右レンズ１・１を、ブリッジＢ及びエンドピースＥに取り付ければ、リムレス眼鏡のフロント部のモノフィラメント糸２を透過した彩色光がレンズ周囲で散乱してグラデーション模様を演出するので、個性的なデザインとすることができる(図５参照)。
【００２５】
しかも、実施例１においては、ブリッジＢのツメ部Ｔの下方位置であって、ノーズパッドとレンズ１の隙間に連結パーツ３を配置することで、連結パーツ３を目立たないようにしているため、連結パーツ３がフロント部のデザインに悪影響を与える心配もない。また図６に示すように、エンドピースＥのツメ部Ｔの下方に連結バーツ３を配置してもよい。
【００２６】
しかも、上記レンズ１に装着したモノフィラメント糸２は連結パーツ３を爪で起こして簡単に取り外せるため、異なる色のモノフィラメント糸２を準備しておけば簡単に交換することができる。
【００２７】
本考案は、概ね上記のように構成されるが、本考案は図示の実施形態に限定されるものでは決してなく、「実用新案登録請求の範囲」の記載内において種々の変更が可能であって、例えば、モノフィラメント糸２の材料は、弾性を有する材料であればポリエチレンやポリプロピレンなどのポリオレフィン系樹脂や塩化ビニルなどの他の合成樹脂材料も使用することができる。
【００２８】
また、モノフィラメント糸２の色についても、紫や赤、青等などの通常色だけでなく蛍光色などを採用することもでき、またモノフィラメント糸２の抜止め部21に関しても、連結パーツ３の小孔31に係止できる構造であれば糸材の先端にキャップ部材を設けるなどの構造を採用してもよい。
【００２９】
そしてまた、連結パーツ３に関しても、所定の強度があれば合成樹脂材料から作製してもよく、その形状や大きさも自由で、何れのものも本考案の技術的範囲に属する。
【産業上の利用可能性】
【００３０】
近年においては、嗜好の多様化により眼鏡のデザインにも他の眼鏡と差別化できる個性が求められており、特にフルリム型に比べてスマートな印象を与えるリムレス眼鏡については、その長所をできるだけ損なわずに個性を発揮できる装飾方法が望ましい。
【００３１】
そのような中で、本考案のリムレス眼鏡のレンズ装飾構造は、レンズ周囲にグラデーション調の縁取りを形成することでスマートな印象を崩さずにデザインに特徴を出すことができ、しかも、部材の取付けや交換についての実用性にも優れた有用な技術であることから、市場における需要は大きく、その産業上の利用価値は非常に高い。
【符号の説明】
【００３２】
１  レンズ
11  止着孔
12  外周溝
２  モノフィラメント糸
21  抜止め部
３  連結パーツ
31  小孔
Ｂ  ブリッジ
Ｅ  エンドピース
Ｔ  ツメ部
【図１】
0003157458.tif 000003
【図２】
0003157458.tif 000004
【図３】
0003157458.tif 000005
【図４】
0003157458.tif 000006
【図５】
0003157458.tif 000007
【図６】
0003157458.tif 000008